(57)【要約】【課題】空間演出の機能をより向上させることが可能な照明システムを得る。【解決手段】照明システム１０は、周辺空間を照明するための照明光Ｌ１を照射する第１の照明装置２００と、予め設定された投影画像３５１ａを投影するための投影光Ｌ２を所定の領域Ｒに投影する第２の照明装置３００と、を備える。また、所定の領域Ｒに投影された投影画像３５１ａの計測コントラスト比４６０のデータを取得する計測部４４０と、予め設定された投影画像３５１ａの必要コントラスト比４５０のデータを格納する記憶部４１０と、を備える。また、計測コントラスト比４６０のデータと必要コントラスト比４５０のデータとを比較する演算部４２０を備える。また、計測コントラスト比４６０が必要コントラスト比４５０よりも低い場合に、計測コントラスト比４６０が必要コントラスト比４５０以上となるように制御する制御部４３０を備える。【選択図】図８
2020167031.tif 000002
【特許請求の範囲】
【請求項１】
周辺空間を照明するための照明光を照射する第１の照明装置と、
予め設定された投影画像を投影するための投影光を所定の領域に投影する第２の照明装置と、
前記所定の領域に投影された投影画像の計測コントラスト比のデータを取得する計測部と、
予め設定された投影画像の必要コントラスト比のデータを格納する記憶部と、
前記計測コントラスト比のデータと前記必要コントラスト比のデータとを比較する演算部と、
前記計測コントラスト比が前記必要コントラスト比よりも低い場合に、前記計測コントラスト比が前記必要コントラスト比以上となるように制御する制御部と、
を備えることを特徴とする照明システム。
【請求項２】
前記制御部は、前記計測コントラスト比が前記必要コントラスト比よりも低い場合に、前記第２の照明装置の光源部の出力値が高くなるように制御することを特徴とする請求項１に記載の照明システム。
【請求項３】
前記制御部は、前記計測コントラスト比が前記必要コントラスト比よりも低い場合に、前記第１の照明装置の光源部の出力値が低くなるように制御することを特徴とする請求項１または請求項２に記載の照明システム。
【発明の詳細な説明】
【技術分野】
【０００１】
本開示は、照明システムに関する。
【背景技術】
【０００２】
従来、照明システムとして、所定領域を照明するための照明光の設定を行う照明光設定部と、投影画像を投影するための映像光の設定を行う映像光設定部と、照明光を照射して映像光を投影する光投射部とを備えるものが知られている（例えば、特許文献１参照）。
【０００３】
この特許文献１では、照明光を照射しつつ、照明光に映像光を重畳させて投影することで、空間または物体を照らすという照明に求められる機能を保持しつつ、空間演出の機能を向上させるようにしている。
【先行技術文献】
【特許文献】
【０００４】
【特許文献１】特開２０１５−０９１００８号公報
【発明の概要】
【発明が解決しようとする課題】
【０００５】
このような照明システムを用いても、空間演出の機能を向上させることが可能であるが、空間演出の機能をより向上させることができるようにするのが好ましい。
【０００６】
そこで、本開示は、空間演出の機能をより向上させることが可能な照明システムを得ることを目的とする。
【課題を解決するための手段】
【０００７】
本開示にかかる照明システムは、周辺空間を照明するための照明光を照射する第１の照明装置と、予め設定された投影画像を投影するための投影光を所定の領域に投影する第２の照明装置と、を備えている。また、前記照明システムは、前記所定の領域に投影された投影画像の計測コントラスト比のデータを取得する計測部と、予め設定された投影画像の必要コントラスト比のデータを格納する記憶部と、を備えている。さらに、前記照明システムは、前記計測コントラスト比のデータと前記必要コントラスト比のデータとを比較する演算部を備えている。そして、前記照明システムは、前記計測コントラスト比が前記必要コントラスト比よりも低い場合に、前記計測コントラスト比が前記必要コントラスト比以上となるように制御する制御部を備えている。
【発明の効果】
【０００８】
本開示によれば、空間演出の機能をより向上させることが可能な照明システムを得ることができる。
【図面の簡単な説明】
【０００９】
【図１】一実施形態にかかる照明システムを模式的に示す斜視図である。
【図２】一実施形態にかかる第１の照明装置を天井の貫通孔に埋め込み固定した状態を模式的に示す斜視図である。
【図３】一実施形態にかかる第１の照明装置を天井の貫通孔に埋め込み固定する前の状態を模式的に示す斜視図である。
【図４】一実施形態にかかる第１の照明装置を模式的に示す分解斜視図である。
【図５】一実施形態にかかる第２の照明装置を天井の貫通孔に埋め込み固定した状態を模式的に示す斜視図である。
【図６】一実施形態にかかる第２の照明装置を天井の貫通孔に埋め込み固定する前の状態を模式的に示す斜視図である。
【図７】一実施形態にかかる第２の照明装置を模式的に示す分解斜視図である。
【図８】一実施形態にかかる照明システムのブロック図である。
【図９】一実施形態にかかる照明システムの制御処理の一例を示すフローチャートである。
【図１０】一実施形態にかかる照明システムの制御処理の第１変形例を示すフローチャートである。
【図１１】一実施形態にかかる照明システムの制御処理の第２変形例を示すフローチャートである。
【発明を実施するための形態】
【００１０】
以下、本開示にかかる照明装置について、図面を参照しながら詳細に説明する。なお、以下で説明する実施形態は、包括的または具体的な例を示すものである。以下の実施形態で示される数値、形状、材料、構成要素、構成要素の配置位置および接続形態、ステップ、ステップの順序などは、一例であり、本開示に限定する主旨ではない。また、以下の実施形態における構成要素のうち、最上位概念を示す独立請求項に記載されていない構成要素については、任意の構成要素として説明される。
【００１１】
また、以下では、照明システムとして、スーパーマーケット等の店舗の売場空間を演出するものを例示する。また、周辺空間を照らす第１の照明装置および所定の領域に投影画像を投影する第２の照明装置として天井に埋め込まれるダウンライトを例示する。また、売場空間に配置された商品を照らす照明装置としてショーケースの天壁に取り付けられたスポットライトを例示する。そして、各照明装置の光源部としてＬＥＤ素子を用いたものを例示する。
【００１２】
［照明システムの構成］
まず、本実施形態にかかる照明システム１０の構成について、図１に基づき説明する。ここで、図１は、照明システムを模式的に示す斜視図である。
【００１３】
図１に示すように、スーパーマーケット等の店舗１１の天井１５には、売場空間１２を照らすダウンライトが複数埋め込まれている。
【００１４】
また、売場空間１２には、商品１４を配置するショーケース１３が設けられており、このショーケース１３の天壁１３ａには、スポットライト１００が取り付けられている。
【００１５】
本実施形態では、スポットライト１００は、ショーケース１３の下方奥側を照らすように、ショーケース１３の天壁１３ａに複数取り付けられており、各スポットライト１００が商品陳列棚１３ｂに配置された商品１４を照らしている。
【００１６】
このとき、商品（対象物）１４が配置される周辺空間の光環境に応じて、スポットライト１００やダウンライトから照射される光のスペクトルを調整できるようにするのが好ましい。こうすれば、商品（対象物）１４の見え方が好ましい見え方（所望の見え方）に近い状態で維持されるようにすることができる。
【００１７】
また、本実施形態では、ダウンライトは、平面視で略円形をしており、複数のダウンライトが、下方を照らすようにした状態で店舗１１の天井１５に埋め込まれている。こうして、店舗１１の売場空間１２がダウンライトによって照らされるようにしている。
【００１８】
この売場空間１２は、用途や好みに応じて所望の光環境（色味や明るさなど）となるように照明することができる。すなわち、売場空間１２は、ダウンライトによって、赤味を帯びた空間や青味を帯びた空間等、所望の光環境となるように照明されるようにすることができる。例えば、赤味を帯びた売場空間１２とする場合、赤色系の波長の強度が高いスペクトルの光を照射するダウンライトが用いられる。一方、青味を帯びた売場空間１２とする場合、青色系の波長の強度が高いスペクトルの光を照射するダウンライトが用いられる。このように、売場空間１２を所望の光環境とするのに適したスペクトルの光を照射するダウンライトが店舗１１の天井１５には埋め込まれている。
【００１９】
ここで、本実施形態では、複数のダウンライトのうちの一部のダウンライトを、売場空間１２の床面１６に投影画像３１５ａを投影する第２の照明装置３００として機能させている。
【００２０】
この第２の照明装置３００は、床面１６の所定の領域Ｒに、予め設定された投影画像３１５ａを投影する装置であり、投影画像３１５ａは、光の陰影により演出される照明映像である。このような投影画像３１５ａとしては、例えば、木漏れ日の映像、明るい海の映像、暗い海の映像、星空の映像などがあげられる。そして、このような投影画像３１５ａが、第２の照明装置３００によって床面や壁面などの投影対称面の所定の領域に投影されるようにしている。図１には、第２の照明装置３００によって床面１６に木漏れ日の映像を投影させたものを例示している。
【００２１】
さらに、本実施形態では、第２の照明装置３００が、後述する明暗揺らぎモジュール３５０を備えており、この明暗揺らぎモジュール３５０を駆動させることで、木漏れ日が揺らいでいるような映像を床面１６に投影できるようにしている。
【００２２】
このように、本実施形態にかかる第２の照明装置３００は、明暗揺らぎ環境照明としての機能も有している。なお、第２の照明装置３００が、複数種類の投影画像３１５ａと、投影する画像を切り替えるスイッチとを有するようにし、スイッチの切り替え操作を行うことで、投影対称面に投影される投影画像３１５ａを切り替えられるようにしてもよい。
【００２３】
また、本実施形態では、第２の照明装置３００としての機能を有していないその他のダウンライトのうち、少なくとも１つのダウンライトを、第２の照明装置３００の周辺空間を照らす第１の照明装置２００として機能させている。
【００２４】
この第１の照明装置２００は、調光機能を有しており、第１の照明装置２００から照射される照明光Ｌ１の照度を適宜調整できるようにしている。照明光Ｌ１の照度の調整は、例えば、第１の照明装置２００が備える光源部２２０の出力値を変更させることで行うことができる。
【００２５】
そして、第１の照明装置２００から照射される照明光Ｌ１の照度を適宜調整することで、第２の照明装置３００の周辺空間を所望の光環境となるようにしている。
【００２６】
このように、本実施形態では、第１の照明装置１００は、調光ベース照明としての機能も有している。
【００２７】
なお、第２の照明装置３００も、調光機能を有しており、第２の照明装置３００が備える光源部３２０の出力値を変更させることで、投影画像３１５ａの明暗のコントラスト比（最も暗い部分と最も明るい部分の輝度の差）を適宜調整できるようにしている。
【００２８】
以上説明したように、本実施形態にかかる照明システム１０は、周辺空間（第２の照明装置３００の周辺空間）を照明するための照明光Ｌ１を照射する第１の照明装置２００を少なくとも１つ備えている。また、照明システム１０は、予め設定された投影画像３１５ａを投影するための投影光Ｌ２を所定の領域Ｒに投影する第２の照明装置３００を備えている。
【００２９】
なお、商品１４を照らすスポットライト１００が、第２の照明装置３００の周辺空間に影響を与えている場合には、スポットライト１００も照明システム１０が備える調光ベース照明として機能させるようにしてもよい。
【００３０】
ところで、第２の照明装置３００の光源部３２０の出力値を一定にしたとしても、所定の領域Ｒに投影された投影画像３１５ａの明暗のコントラスト比は、周辺空間（第２の照明装置３００の周辺空間）の光環境によっても異なるものである。
【００３１】
そのため、周辺空間（第２の照明装置３００の周辺空間）の光環境によっては、投影画像３１５ａの明暗のコントラスト比が小さくなってしまい、投影画像３１５ａがぼやけて見えてしまう場合がある。
【００３２】
そのため、本実施形態にかかる照明システム１０では、周辺空間（第２の照明装置３００の周辺空間）の光環境が変化した場合であっても、投影された投影画像３１５ａの陰影がはっきりと見えるように制御できるようにしている。具体的には、投影された投影画像３１５ａの明暗のコントラスト比が所定値以上（例えば、２以上）となるように、周辺空間の光環境に応じて、第１の照明装置２００照度や第２の照明装置３００の照度を調整できるようにしている。
【００３３】
なお、投影された投影画像３１５ａの陰影がはっきりと見えるために必要な明暗のコントラスト比は、例えば、感性評価によって決定することができる。
【００３４】
［第１の照明装置２００の構成］
次に、第１の照明装置２００の構成について、図２〜図４に基づき説明する。
【００３５】
ここで、図２は、第１の照明装置を天井の貫通孔に埋め込み固定した状態を模式的に示す斜視図、図３は、第１の照明装置を天井の貫通孔に埋め込み固定する前の状態を模式的に示す斜視図、図４は、第１の照明装置を模式的に示す分解斜視図である。
【００３６】
第１の照明装置２００は、天井１５の厚さ方向に貫通するように形成された天井孔（貫通孔）１５ｂに埋め込み固定されて、当該第１の照明装置２００に設けられた光源部２２０からの光を売場空間１２に向けて照射させるものである（図２および図３参照）。
【００３７】
この第１の照明装置２００は、本体部２１０と光源部２２０とを有している（図４参照）。光源部２２０は、本体部２１０内に収容されており、例えば、複数のＬＥＤ（発光素子）と、複数のＬＥＤ（発光素子）が配置されるＬＥＤ基板（発光素子基部）と、で構成することができる。
【００３８】
本体部２１０は、光源部２２０で生じた熱を第１の照明装置２００の外部へと放出させる放熱部２１１を備えている。この放熱部２１１は、例えば、熱伝導率の高いアルミダイカストを用いて形成することができ、光源部２２０で生じた熱をより効率的に放熱させることができるようになっている。
【００３９】
放熱部２１１は、光源部２２０が熱的に接続される放熱部本体２１１ａと、放熱部本体２１１ａに連設される複数の放熱フィン２１１ｂと、を備えている。
【００４０】
本実施形態では、放熱部本体２１１ａは、略円板状の天壁２１１ｃと、天壁２１１ｃの周縁部から下方（売場空間１２側）に延設される周壁２１１ｄと、を備えている。すなわち、放熱部本体２１１ａには、天壁２１１ｃと周壁２１１ｄとで画成されて下方に開口する収容空間が形成されている。そして、この収容空間内に、後述する第１の反射部２１２が収容されるようにしている。なお、複数の放熱フィン２１１ｂは、天壁２１１ｃの上面から上方に突出するように形成されている。
【００４１】
また、本実施形態では、光源部２２０が、天壁２１１ｃの下面の中央部に固定されている。このように、光源部２２０を天壁２１１ｃの下面の中央部に固定することで、光源部２２０と天壁２１１ｃ（放熱部２１１）とを熱的に接続させている。こうすることで、光源部２２０で生じた熱を、天壁２１１ｃの下面から放熱部２１１に伝達させて、放熱部２１１から第１の照明装置２００の外部へと放出させるようにしている。なお、複数のＬＥＤが配置されたＬＥＤ基板を光源部２２０として用いた場合、複数のＬＥＤが下方を向くようにした状態でＬＥＤ基板を天壁２１１ｃの下面の中央部に固定されることとなる。
【００４２】
さらに、本体部２１０は、図４に示すように、光源部２２０が固定された放熱部２１１に取り付けられ、光源部２２０から出射した光が下方側を向くように反射させる第１の反射部２１２を備えている。
【００４３】
第１の反射部２１２は、底壁２１２ａと、底壁２１２ａの外周縁部から上方に延設される外周壁２１２ｂと、を備えている。底壁２１２ａは、本実施形態では、円板状の部材の中央に略円形の開口（下側開口２１２ｅ）が形成された形状をしており、平面視で略円環状をしている。
【００４４】
一方、外周壁２１２ｂは略円筒状をしており、この外周壁２１２ｂは、外径が放熱部本体２１１ａの周壁２１１ｄの内径よりも若干小径となるように形成されている。すなわち、底壁２１２ａおよび周壁２１２ｂは、天壁２１１ｃと周壁２１１ｄとで画成された収容空間内に収容することができる大きさとなるように形成されている。
【００４５】
さらに、底壁２１２ｂの中央に形成された開口（下側開口２１２ｅ）の周縁部からは反射板２１２ｃが延設されている。この反射板２１２ｃは、例えば、ＰＢＴ（ポリブチレンテレフタレート）樹脂等で形成することができ、下方に向かうにつれて拡径する略椀状をしている。そして、この反射板２１２ｃの上下端には、上方に開口する上側開口２１２ｄと下方に開口する下側開口２１２ｅとがそれぞれ形成されている。なお、反射板２１２ｃの下側の湾曲面が反射面２１２ｆとなっている。
【００４６】
また、本体部２１０は第２の反射部２１３を備えている。そして、第１の反射部２１２と第２の反射部２１３との間には、光源部２２０から出射された光を拡散させるレンズ２３０が配置されている。本実施形態では、レンズ２３０は、略円板状をしており、例えば、透光性を有するアクリル樹脂等を用いて形成することができる。
【００４７】
また、第２の反射部２１３は、レンズ２３０の下方に配置されており、レンズ２３０によって拡散された光を下方側に向くように反射させる（配光する）ものである。この第２の反射部２１３は、例えば、鋼板や樹脂等を用いて形成することができる。
【００４８】
そして、第２の反射部２１３は、上側開口２１３ｃおよび下側開口２１３ｄが形成された本体部２１３ａと、本体部２１３ａの下端（下側開口２１３ｄの周縁部）から径方向外側に延設されたフランジ部２１３ｂと、を備えている。なお、本実施形態では、下側開口２１３ｄが、第１の照明装置２００の照射口となっている。また、フランジ部２１３ｂの外径は、天井孔１５ｂの内径よりも大きくなるように形成されている。
【００４９】
本体部２１３ａは、下方に向かうにつれて拡径する略椀状をしている補助反射板２１３ｅと、補助反射板２１３ｅの上端に連設されてレンズ２３０が挿入される筒状部２１３ｆと、を備えている。そして、補助反射板２１３ｅの下側の湾曲面が補助反射面２１３ｇとなっている。
【００５０】
さらに、本実施形態では、第２の反射部２１３には、板ばね２４０が取り付けられる板ばね取付部２１３ｈが形成されている。そして、板ばね取付部２１３ｈに取り付けられた板ばね２４０とフランジ部２１３ｂとで天井１５を挟持することで、天井１５の天井孔１５ｂに第１の照明装置２００が埋め込み固定されるようにしている。
【００５１】
この第１の照明装置２００は、図示せぬ調光機構を備えており、光源部２２０の出力値を変更させることで、照明光Ｌ１の照度を調整することができるようになっている。
【００５２】
［第２の照明装置３００の構成］
次に、第２の照明装置３００の構成について、図５〜図７に基づき説明する。
【００５３】
ここで、図５は、第２の照明装置を天井の貫通孔に埋め込み固定した状態を模式的に示す斜視図、図６は、第２の照明装置を天井の貫通孔に埋め込み固定する前の状態を模式的に示す斜視図、図７は、第２の照明装置を模式的に示す分解斜視図である。
【００５４】
第２の照明装置３００は、天井１５の厚さ方向に貫通するように形成された天井孔（貫通孔）１５ｂに埋め込み固定されている。この第２の照明装置３００は、当該第２の照明装置３００に設けられた光源部３２０からの光が投影画像３１５ａを透過するようにして、投影光Ｌ２を床面１６に向けて照射させ、所定の領域Ｒに投影画像３１５ａを投影させるものである。
【００５５】
第２の照明装置３００は、本体部３１０と光源部３２０とを有している（図７参照）。光源部３２０は、本体部３１０内に収容されており、例えば、複数のＬＥＤ（発光素子）と、複数のＬＥＤ（発光素子）が配置されるＬＥＤ基板（発光素子基部）と、で構成することができる。
【００５６】
本体部３１０は、光源部３２０で生じた熱を第２の照明装置３００の外部へと放出させる放熱部３１１を備えている。この放熱部３１１は、例えば、熱伝導率の高いアルミダイカストを用いて形成することができ、光源部３２０で生じた熱をより効率的に放熱させることができるようになっている。
【００５７】
放熱部３１１は、光源部３２０が熱的に接続される放熱部本体３１１ａと、放熱部本体３１１ａに連設される複数の放熱フィン３１１ｂと、を備えている。
【００５８】
本実施形態では、放熱部本体３１１ａは、略円板状の天壁３１１ｃと、天壁３１１ｃの周縁部から下方（売場空間１２側）に延設される周壁３１１ｄと、を備えている。すなわち、放熱部本体３１１ａには、天壁３１１ｃと周壁３１１ｄとで画成されて下方に開口する収容空間が形成されている。そして、この収容空間内に、後述する第１の反射部３１２が収容されるようにしている。なお、複数の放熱フィン３１１ｂは、天壁３１１ｃの上面から上方に突出するように形成されている。
【００５９】
また、本実施形態では、光源部３２０が、天壁３１１ｃの下面の中央部に固定されている。このように、光源部３２０を天壁３１１ｃの下面の中央部に固定することで、光源部３２０と天壁３１１ｃ（放熱部３１１）とを熱的に接続させている。こうすることで、光源部３２０で生じた熱を、天壁３１１ｃの下面から放熱部３１１に伝達させて、放熱部３１１から第２の照明装置３００の外部へと放出させるようにしている。なお、複数のＬＥＤが配置されたＬＥＤ基板を光源部３２０として用いた場合、複数のＬＥＤが下方を向くようにした状態でＬＥＤ基板を天壁３１１ｃの下面の中央部に固定されることとなる。
【００６０】
また、第２の照明装置３００は、明暗揺らぎモジュール３５０を備えており、この明暗揺らぎモジュール３５０を駆動させることで、木漏れ日等の投影画像３１５ａが揺らいでいるような映像を床面１６に投影できるようにしている。
【００６１】
本実施形態では、投影画像３１５ａが形成された明暗スライド部材３５１に、駆動部材としての図示せぬアクチュエータを取り付けることで、明暗揺らぎモジュール３５０を形成している。そして、アクチュエータを駆動させることで、明暗スライド部材３５１が前後左右（水平面方向）にスライドするようにしている。
【００６２】
この明暗揺らぎモジュール３５０は、光源部３２０からの光が投影画像３１５ａを透過するようにした状態で、天壁３１１ｃの下面等に固定されている。
【００６３】
こうすることで、前後左右（水平面方向）に移動する投影画像３１５ａが所定の領域Ｒに投影されて、投影画像３１５ａが揺らいでいるような映像が床面１６に投影されるようにしている。
【００６４】
さらに、本体部３１０は、図７に示すように、光源部３２０が固定された放熱部３１１に取り付けられ、光源部３２０から出射した光が下方側を向くように反射させる第１の反射部３１２を備えている。
【００６５】
第１の反射部３１２は、底壁３１２ａと、底壁３１２ａの外周縁部から上方に延設される外周壁３１２ｂと、を備えている。底壁３１２ａは、本実施形態では、円板状の部材の中央に略円形の開口（下側開口３１２ｅ）が形成された形状をしており、平面視で略円環状をしている。
【００６６】
一方、外周壁３１２ｂは略円筒状をしており、この外周壁３１２ｂは、外径が放熱部本体３１１ａの周壁３１１ｄの内径よりも若干小径となるように形成されている。すなわち、底壁３１２ａおよび周壁３１２ｂは、天壁３１１ｃと周壁３１１ｄとで画成された収容空間内に収容することができる大きさとなるように形成されている。
【００６７】
さらに、底壁３１２ｂの中央に形成された開口（下側開口３１２ｅ）の周縁部からは反射板３１２ｃが延設されている。この反射板３１２ｃは、例えば、ＰＢＴ（ポリブチレンテレフタレート）樹脂等で形成することができ、下方に向かうにつれて拡径する略椀状をしている。そして、この反射板３１２ｃの上下端には、上方に開口する上側開口３１２ｄと下方に開口する下側開口３１２ｅとがそれぞれ形成されている。なお、反射板３１２ｃの下側の湾曲面が反射面３１２ｆとなっている。
【００６８】
また、本体部３１０は第２の反射部３１３を備えている。そして、第１の反射部３１２と第２の反射部３１３との間には、光源部３２０から出射された光を拡散させるレンズ３３０が配置されている。本実施形態では、レンズ３３０は、略円板状をしており、例えば、透光性を有するアクリル樹脂等を用いて形成することができる。
【００６９】
また、第２の反射部３１３は、レンズ３３０の下方に配置されており、レンズ３３０によって拡散された光を下方側に向くように反射させる（配光する）ものである。この第２の反射部３１３は、例えば、鋼板や樹脂等を用いて形成することができる。
【００７０】
そして、第２の反射部３１３は、上側開口３１３ｃおよび下側開口３１３ｄが形成された本体部３１３ａと、本体部３１３ａの下端（下側開口３１３ｄの周縁部）から径方向外側に延設されたフランジ部３１３ｂと、を備えている。なお、本実施形態では、下側開口３１３ｄが、第２の照明装置３００の照射口となっている。また、フランジ部３１３ｂの外径は、天井孔１５ｂの内径よりも大きくなるように形成されている。
【００７１】
本体部３１３ａは、下方に向かうにつれて拡径する略椀状をしている補助反射板３１３ｅと、補助反射板３１３ｅの上端に連設されてレンズ３３０が挿入される筒状部３１３ｆと、を備えている。そして、補助反射板３１３ｅの下側の湾曲面が補助反射面３１３ｇとなっている。
【００７２】
さらに、本実施形態では、第２の反射部３１３には、板ばね３４０が取り付けられる板ばね取付部３１３ｈが形成されている。そして、板ばね取付部３１３ｈに取り付けられた板ばね３４０とフランジ部３１３ｂとで天井１５を挟持することで、天井１５の天井孔１５ｂに第２の照明装置３００が埋め込み固定されるようにしている。
【００７３】
この第３の照明装置３００は、図示せぬ調光機構を備えており、光源部３２０の出力値を変更させることで、投影光Ｌ２の照度を調整することができるようになっている。
【００７４】
また、第２の照明装置３００の本体部３１０には、床面１６の所定の領域Ｒに投影された投影画像３１５ａの明暗のコントラスト比のデータを取得する計測部４４０が配置されている。この計測部４４０は、下側開口（照射口）３１３ｄから照射される投影光Ｌ２の照射領域から外れた位置に配置されている。本実施形態では、フランジ部３１３ｂに配置させた計測部４４０を例示している。さらに、第２の照明装置３００を店舗１１の天井１５に埋め込み固定した状態で、計測手段４４０が売場空間１２に露出するようにしている。
【００７５】
［照明システムの機能構成］
次に、図８を参照して、照明システム１０の機能構成について説明する。ここで、図８は、照明システムのブロック図である。
【００７６】
照明システム１０は、図８に示すように、記憶部４１０と、演算部４２０と、制御部４３０と、計測部４４０と、を備えている。
【００７７】
記憶部４１０は、投影された投影画像３１５ａの陰影がはっきりと見えるために必要な明暗のコントラスト比（必要コントラスト比４５０）のデータを格納するものである。本実施形態では、第２の照明装置３００が複数種類の投影画像３１５ａを備えており、投影画像３１５ａ毎（照明揺らぎ環境照明のパターン毎）に必要な明暗のコントラスト比を予め設定している。そして、記憶部４１０は、それぞれの投影画像３１５ａが必要な明暗のコントラスト比のデータを、必要コントラスト比４５０のデータとして記憶している。
【００７８】
演算部４２０は、計測部４４０によって計測された計測コントラスト比４６０が、記憶部４１０に記憶された必要コントラスト比４５０以上の値になっているか否かを判定する（演算する）ものである。すなわち、演算部４２０は、計測コントラスト比４６０のデータおよび必要コントラスト比４５０のデータを比較して、計測コントラスト比４６０が必要コントラスト比４５０以上の値になっているか否かを判定（演算）している。
【００７９】
制御部４３０は、計測コントラスト比４６０が必要コントラスト比４５０よりも小さい場合に、計測コントラスト比４６０が必要コントラスト比４５０以上となるように制御するものである。具体的には、制御部４３０が、第２の照明装置３００の光源部３２０の出力値４７０や第１の照明装置２００の光源部２２０の出力値４８０を調整することで、計測コントラスト比４６０が必要コントラスト比４５０以上となるように制御している。
【００８０】
計測部４４０は、上述したように、照射口３１３ｄから照射される投影光Ｌ２の照射領域から外れた位置に配置されており、実際に投影されている投影画像３１５ａの明暗のコントラスト比（計測コントラスト比４６０）のデータを取得するものである。
【００８１】
そして、このような機能を有する照明システム１０とすることで、投影された投影画像３１５ａの陰影がはっきりと見えるようにしている。
【００８２】
［照明システムの制御処理の一例］
次に、照明システムの制御処理の一例を図９に基づき説明する。
【００８３】
ここで、図９は、照明システムの制御処理の一例を示すフローチャートである。
【００８４】
まず、必要コントラスト比４５０を記憶部４１０に記憶させる（Ｓ１１）。
【００８５】
具体的には、投影画像３１５ａ毎（照明揺らぎ環境照明のパターン毎）の必要コントラスト比４５０を記憶部４１０に記憶させる。
【００８６】
そして、ステップＳ１１により必要コントラスト比４５０を記憶部４１０に記憶させた第２の照明装置３００や第１の照明装置２００の電源をオンにする（Ｓ１２）。
【００８７】
このように、照明装置の電源をオンにすると、計測部４４０が、第２の照明装置（明暗揺らぎ環境照明）３００の光源部３２０の照射領域（所定の領域Ｒ）における明暗のコントラスト比（計測コントラスト比４６０）を計測する（Ｓ１３）。
【００８８】
この計測部４４０による計測コントラスト比４６０の計測は、照明装置の電源をオンにしてすぐに行われるようにしてもよいし、所定時間経過後（例えば、周辺の光環境が比較的安定した状態となるのに必要な時間の経過後）に行われるようにしてもよい。
【００８９】
次に、演算部４２０が、計測部４４０によって計測された計測コントラスト比４６０のデータおよび必要コントラスト比４５０のデータに基づいて、計測コントラスト比４６０が必要コントラスト比４５０よりも小さいかを判定（演算）する（Ｓ１４）。
【００９０】
そして、ステップＳ１４で「ＮＯ」と判定された場合には、ステップＳ１５に移行せずに照明システムの制御処理を終了させる。
【００９１】
一方、ステップＳ１４で「ＹＥＳ」と判定された場合には、ステップＳ１５に移行する。
【００９２】
すなわち、ステップＳ１４において、演算部４２０が、計測コントラスト比４６０が必要コントラスト比４５０よりも小さいと判定した場合、第２の照明装置（明暗揺らぎ環境照明）３００の光源部３２０の出力値４７０が最大かを判断する（Ｓ１５）。
【００９３】
光源部３２０の出力値４７０が最大か否かの判断は、演算部４２０で行ってもよいし、制御部４３０で行ってもよい。
【００９４】
そして、ステップＳ１５で「ＮＯ」と判定された場合には、ステップＳ１６に移行する。
【００９５】
すなわち、第２の照明装置（明暗揺らぎ環境照明）３００の光源部３２０の出力値４７０が最大になっていない場合には、第２の照明装置３００の光源部３２０の出力値４７０を増加させる（Ｓ１６）。
【００９６】
光源部３２０の出力値４７０の調整（増加させる制御）は、制御部４３０によって行われる。
【００９７】
そして、制御部４３０が光源部３２０の出力値４７０を増加させた後に、ステップＳ１３に移行する。
【００９８】
一方、ステップＳ１５で「ＹＥＳ」と判定された場合には、ステップＳ１７に移行する。
【００９９】
すなわち、ステップＳ１５において、第２の照明装置（明暗揺らぎ環境照明）３００の光源部３２０の出力値４７０が最大になっていると判定された場合、第１の照明装置（調光ベース照明）２００の光源部２２０の出力値４８０が最小かを判断する（Ｓ１７）。
【０１００】
光源部２２０の出力値４７０が最大か否かの判断は、演算部４２０で行ってもよいし、制御部４３０で行ってもよい。
【０１０１】
そして、ステップＳ１７で「ＮＯ」と判定された場合には、ステップＳ１８に移行する。
【０１０２】
すなわち、第１の照明装置（調光ベース照明）２００の光源部２２０の出力値４８０が最小になっていない場合には、第１の照明装置２００の光源部２２０の出力値４８０を減少させる（Ｓ１８）。
【０１０３】
光源部２２０の出力値４８０の調整（減少させる制御）は、制御部４３０によって行われる。
【０１０４】
そして、制御部４３０が第１の照明装置２００の光源部２２０の出力値４８０を減少させた後に、ステップＳ１３に移行する。
【０１０５】
一方、ステップＳ１７で「ＹＥＳ」と判定された場合には、照明システムの制御処理は終了する。
【０１０６】
このような制御処理を行うことで、第２の照明装置３００が、床面１６の所定の領域Ｒに、必要コントラスト比４５０以上の投影画像３１５ａを投影することが可能となる。
【０１０７】
［照明システムの制御処理の変形例］
図９には、照明装置の電源をオンにした際に一度だけ投影画像３１５ａの明暗のコントラスト比を自動調整するものを例示したが、これに限られるものではなく、図１０や図１１に示す制御処理とすることもできる。
【０１０８】
ここで、図１０は、照明システムの制御処理の第１変形例を示すフローチャート、図１１は、照明システムの制御処理の第２変形例を示すフローチャートである。なお、具体的な計測方法や演算方法は、基本的には図９で説明した方法と同一である。
【０１０９】
図１０には、照明装置の電源をオンにした場合に、時々刻々と連続して投影画像３１５ａの明暗のコントラスト比を自動調整する制御処理の一例を示しており、以下のような制御が行われる。
【０１１０】
まず、必要コントラスト比４５０を記憶部４１０に記憶させる（Ｓ２１）。
【０１１１】
次に、ステップＳ２１により必要コントラスト比４５０を記憶部４１０に記憶させた第２の照明装置３００や第１の照明装置２００の電源をオンにする（Ｓ２２）。
【０１１２】
そして、照明装置の電源をオンにすると、計測部４４０が、第２の照明装置（明暗揺らぎ環境照明）３００の光源部３２０の照射領域（所定の領域Ｒ）における明暗のコントラスト比（計測コントラスト比４６０）を計測する（Ｓ２３）。
【０１１３】
次に、演算部４２０が、計測部４４０によって計測された計測コントラスト比４６０のデータおよび必要コントラスト比４５０のデータに基づいて、計測コントラスト比４６０が必要コントラスト比４５０よりも小さいかを判定（演算）する（Ｓ２４）。
【０１１４】
そして、ステップＳ２４で「ＮＯ」と判定された場合には、ステップＳ２３に移行し、計測部４４０によって新たな計測コントラスト比４６０が計測される。
【０１１５】
一方、ステップＳ２４で「ＹＥＳ」と判定された場合には、ステップＳ２５に移行する。
【０１１６】
すなわち、ステップＳ２４において、演算部４２０が、計測コントラスト比４６０が必要コントラスト比４５０よりも小さいと判定した場合、第２の照明装置（明暗揺らぎ環境照明）３００の光源部３２０の出力値４７０が最大かを判断する（Ｓ２５）。
【０１１７】
そして、ステップＳ２５で「ＮＯ」と判定された場合には、ステップＳ２６に移行する。
【０１１８】
すなわち、第２の照明装置（明暗揺らぎ環境照明）３００の光源部３２０の出力値４７０が最大になっていない場合には、第２の照明装置３００の光源部３２０の出力値４７０を増加させる（Ｓ２６）。
【０１１９】
そして、制御部４３０が光源部３２０の出力値４７０を増加させた後に、ステップＳ２３に移行する。
【０１２０】
一方、ステップＳ２５で「ＹＥＳ」と判定された場合には、ステップＳ２７に移行する。
【０１２１】
すなわち、ステップＳ２５において、第２の照明装置（明暗揺らぎ環境照明）３００の光源部３２０の出力値４７０が最大になっていると判定された場合、第１の照明装置（調光ベース照明）２００の光源部２２０の出力値４８０が最小かを判断する（Ｓ２７）。
【０１２２】
そして、ステップＳ２７で「ＮＯ」と判定された場合には、ステップＳ２８に移行する。
【０１２３】
すなわち、第１の照明装置（調光ベース照明）２００の光源部２２０の出力値４８０が最小になっていない場合には、第１の照明装置２００の光源部２２０の出力値４８０を減少させる（Ｓ２８）。
【０１２４】
そして、制御部４３０が第１の照明装置２００の光源部２２０の出力値４８０を減少させた後に、ステップＳ２３に移行する。
【０１２５】
なお、ステップＳ２７で「ＹＥＳ」と判定された場合には、ステップＳ２３に移行し、計測部４４０によって新たな計測コントラスト比４６０が計測される。
【０１２６】
このように、図１０に示す制御処理では、照明装置の電源をオンにした場合に、時々刻々と連続して投影画像３１５ａの明暗のコントラスト比が自動調整されるようになっている。
【０１２７】
この図１０に示す制御処理は、例えば、電源をオフにすることで終了する。
【０１２８】
また、図１１には、照明装置の電源をオンにした状態で、所定の時間になったら投影画像３１５ａの明暗のコントラスト比を自動調整する制御処理の一例を示しており、以下のような制御が行われる。
【０１２９】
まず、必要コントラスト比４５０を記憶部４１０に記憶させる（Ｓ３１）。
【０１３０】
次に、ステップＳ３１により必要コントラスト比４５０を記憶部４１０に記憶させた第２の照明装置３００や第１の照明装置２００の電源をオンにする（Ｓ３２）。
【０１３１】
このように、照明装置の電源をオンにすると、時刻が、例えば６時や１２時等予め設定された所定の時刻であるかが判定される（Ｓ３３）。
【０１３２】
そして、ステップＳ３３で「ＮＯ」と判定された場合には、ステップＳ３３の制御が繰り返される。
【０１３３】
一方、ステップＳ３３で「ＹＥＳ」と判定された場合には、ステップＳ３４に移行する。
【０１３４】
すなわち、計測部４４０が、第２の照明装置（明暗揺らぎ環境照明）３００の光源部３２０の照射領域（所定の領域Ｒ）における明暗のコントラスト比（計測コントラスト比４６０）を計測する（Ｓ３４）。
【０１３５】
次に、演算部４２０が、計測部４４０によって計測された計測コントラスト比４６０のデータおよび必要コントラスト比４５０のデータに基づいて、計測コントラスト比４６０が必要コントラスト比４５０よりも小さいかを判定（演算）する（Ｓ３５）。
【０１３６】
そして、ステップＳ３５で「ＮＯ」と判定された場合には、ステップＳ３６に移行せずに照明システムの制御処理を終了させる。
【０１３７】
一方、ステップＳ３５で「ＹＥＳ」と判定された場合には、ステップＳ３６に移行する。
【０１３８】
すなわち、ステップＳ３５において、演算部４２０が、計測コントラスト比４６０が必要コントラスト比４５０よりも小さいと判定した場合、第２の照明装置（明暗揺らぎ環境照明）３００の光源部３２０の出力値４７０が最大かを判断する（Ｓ３６）。
【０１３９】
そして、ステップＳ３６で「ＮＯ」と判定された場合には、ステップＳ３７に移行する。
【０１４０】
すなわち、第２の照明装置（明暗揺らぎ環境照明）３００の光源部３２０の出力値４７０が最大になっていない場合には、第２の照明装置３００の光源部３２０の出力値４７０を増加させる（Ｓ３７）。
【０１４１】
そして、制御部４３０が光源部３２０の出力値４７０を増加させた後に、ステップＳ３４に移行する。
【０１４２】
一方、ステップＳ３６で「ＹＥＳ」と判定された場合には、ステップＳ３８に移行する。
【０１４３】
すなわち、ステップＳ３６において、第２の照明装置（明暗揺らぎ環境照明）３００の光源部３２０の出力値４７０が最大になっていると判定された場合、第１の照明装置（調光ベース照明）２００の光源部２２０の出力値４８０が最小かを判断する（Ｓ３８）。
【０１４４】
そして、ステップＳ３８で「ＮＯ」と判定された場合には、ステップＳ３９に移行する。
【０１４５】
すなわち、第１の照明装置（調光ベース照明）２００の光源部２２０の出力値４８０が最小になっていない場合には、第１の照明装置２００の光源部２２０の出力値４８０を減少させる（Ｓ３９）。
【０１４６】
そして、制御部４３０が第１の照明装置２００の光源部２２０の出力値４８０を減少させた後に、ステップＳ３４に移行する。
【０１４７】
一方、ステップＳ３８で「ＹＥＳ」と判定された場合には、照明システムの制御処理は終了する。
【０１４８】
なお、複数の時刻で投影画像３１５ａの明暗のコントラスト比を自動調整する場合、ステップＳ３８で「ＹＥＳ」と判定されたときに、ステップＳ３３に移行する。
【０１４９】
このように、図１１に示す制御処理では、照明装置の電源をオンにした状態で所定の時間になったときに、投影画像３１５ａの明暗のコントラスト比が自動調整されるようになっている。
【０１５０】
この図１１に示す制御処理も、電源をオフにすることで終了させるようにすることができる。
【０１５１】
なお、図１１に示す制御処理を行う場合、照明装置が時計等の時刻を認識することのできる手段を備えるようにするのが好ましい。
【０１５２】
また、照明システムがタイマーを備えるようにし、所定の間隔で投影画像３１５ａの明暗のコントラスト比が自動調整されるようにしてもよい。
【０１５３】
［作用、効果］
以上説明したように、本実施形態にかかる照明システム１０は、周辺空間を照明するための照明光Ｌ１を照射する第１の照明装置２００を備えている。また、照明システム１０は、予め設定された投影画像３５１ａを投影するための投影光Ｌ２を所定の領域Ｒに投影する第２の照明装置３００を備えている。また、照明システム１０は、所定の領域Ｒに投影された投影画像３５１ａの計測コントラスト比４６０のデータを取得する計測部４４０と、予め設定された投影画像３５１ａの必要コントラスト比４５０のデータを格納する記憶部４１０と、を備えている。さらに、照明システム１０は、計測コントラスト比４６０のデータと必要コントラスト比４５０のデータとを比較する演算部４２０を備えている。そして、照明システム１０は、計測コントラスト比４６０が必要コントラスト比４５０よりも低い場合に、計測コントラスト比４６０が必要コントラスト比４５０以上となるように制御する制御部４３０を備えている。
【０１５４】
こうすれば、周辺空間（第２の照明装置３００の周辺空間）の光環境が変化した場合であっても、投影された投影画像３１５ａの陰影がはっきりと見えるようにすることができる。
【０１５５】
このように、本実施形態によれば、空間演出の機能をより向上させることが可能な照明システム１０を得ることができる。
【０１５６】
そして、計測コントラスト比４６０が必要コントラスト比４５０よりも低い場合に、制御部４３０が、第２の照明装置３００の光源部３２０の出力値が高くなるように制御するようにしてもよい。
【０１５７】
こうすれば、投影された投影画像３１５ａの陰影をより明確にすることができ、空間演出の機能をより向上させることができるようになる。
【０１５８】
また、計測コントラスト比４６０が必要コントラスト比４５０よりも低い場合に、制御部４３０が、第１の照明装置２００の光源部２２０の出力値が低くなるように制御するようにしてもよい。
【０１５９】
こうすれば、周辺空間（第２の照明装置３００の周辺空間）が比較的暗くなるため、投影画像３１５ａの明暗のコントラスト比が相対的に高くなり、投影された投影画像３１５ａの陰影をより明確にすることができるようになる。その結果、空間演出の機能をより向上させることができるようになる。
【０１６０】
以上、本開示の好適な実施形態について説明したが、本開示は上記実施形態には限定されず、種々の変形が可能である。
【０１６１】
例えば、上記実施形態では、照射口２１３ｄ，３１３ｄの形状を円形としたものを例示したが、照射口２１３ｄ、３１３ｄの形状は、矩形や、その他の多角形であってもよい。
【０１６２】
また、上記実施形態では、照明装置としてダウンライトを例示したが、スクエアベースライト等の他の埋込型照明装置やシーリングライト等の他の照明装置とすることも可能である。また、照明装置の設置場所や用途も上述した場所や用途に限られるものではない。
【０１６３】
また、上記実施形態では、発光モジュールとしてＣＯＢ構造の発光モジュールを例示したが、ＳＭＤ(Surface Mount Device)型であってもよい。
【０１６４】
また、上記実施形態では、発光モジュールの発光素子としてＬＥＤを用いたものを例示したが、半導体レーザ等の半導体発光素子、有機ＥＬ(Electro Luminescence)または無機ＥＬ等の固体発光素子を用いてもよい。
【０１６５】
また、上記実施形態では、明暗揺らぎモジュールとして、明暗スライド部材をアクチュエータにより駆動させるものを例示したが、液晶モジュールやDMDモジュール等の他のモジュールとすることも可能である。
【０１６６】
また、上記実施形態では、各照明装置に制御部等が設けられたもの（内蔵されたもの）を例示したが、各照明装置の制御部等を備える制御装置を設け、その制御装置によって各照明装置の制御が行われるようにしてもよい。また、各照明装置の制御部等が設けられた制御装置を備える照明システムとすることも可能である。
【０１６７】
また、上記実施形態では、照明システムとして、スーパーマーケット等の店舗の売場空間を照らす第１の照明装置と、売場空間の床面に投影画像を投影する第２の照明装置と、を備えるものを例示している。すなわち、スーパーマーケット等の店舗に照明システムを構成したものを例示している。しかしながら、照明システムを構成する場所は、様々な場所とすることができる。例えば、家庭用の照明システムに本開示を適用したり、博物館や美術館などに本開示を適用したりすることも可能である。また、地下街などの休憩スペースや駅、空港などのコンコースに本開示を適用することも可能である。
【０１６８】
投影画像を投影する場所は、床面だけでなく壁面や天井面等、用途に合わせて適宜設定することができる。
【０１６９】
また、光源部や本体部、その他細部のスペック（形状、大きさ、レイアウト等）も適宜に変更可能である。
【符号の説明】
【０１７０】
１０  照明システム
２００  第１の照明装置
３００  第２の照明装置
３５１ａ  投影画像
４１０  記憶部
４２０  演算部
４３０  制御部
４４０  計測部
４５０  必要コントラスト比
４６０  計測コントラスト比
４７０  明暗揺らぎ環境照明光源部出力値
４８０  調光ベース照明光源部出力値
Ｌ１  照明光
Ｌ２  投影光
Ｒ  所定の領域
【図１】
2020167031.tif 000003
【図２】
2020167031.tif 000004
【図３】
2020167031.tif 000005
【図４】
2020167031.tif 000006
【図５】
2020167031.tif 000007
【図６】
2020167031.tif 000008
【図７】
2020167031.tif 000009
【図８】
2020167031.tif 000010
【図９】
2020167031.tif 000011
【図１０】
2020167031.tif 000012
【図１１】
2020167031.tif 000013